(57)【特許請求の範囲】
【請求項１】
一対の底連結材と各底連結材の両端から立設される支柱とを有しこれら支柱付き底連結材の一対が対向配置されて全体として４本の支柱となすとともにこれら４本の支柱の上端間を対角線方向に結ぶべく上連結材を備えてなるフレームと、このフレームで形成される４つの立面と１つの天井面の５つの面にそれぞれ対応すべく被せられる１枚もので出入り可能でかつ換気可能であるとともに運搬・組立可能な密閉型外壁材とでなり、前記外壁材は、ロール巻き型で１つの支柱周りに縦軸状に取り付けられて繰り出しにより４つの立面を外周から覆うようにされる部分と、同立面を覆う部分の１辺上の異なる２箇所に折り畳みと転回が可能に延設され前記上連結材の上面に転回されて互いに結ばれるとともに前記４つの立面を覆う部分の上端とも結ばれるように構成された一対の天井面とを一体に備えてなる屋内用別室構成装置。
【発明の詳細な説明】
【０００１】
【発明の属する技術分野】
この発明は、屋内用別室構成装置に関する。
【０００２】
【従来の技術】
例えば、冬期にあっては暖房器具や装置を使用して対処している。
【０００３】
【発明が解決しようとする課題】
しかし、旧来の家屋にあっては、隙間が多くて、室内温度が想った程に得られないため寒く、また一方、暖房器具や装置を使用してもその熱量が逃げてこれが地球の温暖化につながっていた。
【０００４】
この発明は前記課題を解決するためになされたもので、特に旧来からの家屋のように隙間の多い家屋内に設置することで、熱量ロスを少なくして快適な冬期生活が可能になる装置を提供することを目的とする。
【０００５】
【課題を解決するための手段】
前記課題を解決するため、請求項１記載の発明は、一対の底連結材と各底連結材の両端から立設される支柱とを有しこれら支柱付き底連結材の一対が対向配置されて全体として４本の支柱となすとともにこれら４本の支柱の上端間を対角線方向に結ぶべく上連結材を備えてなるフレームと、このフレームで形成される４つの立面と１つの天井面の５つの面にそれぞれ対応すべく被せられる１枚もので出入り可能でかつ換気可能であるとともに運搬・組立可能な密閉型外壁材とでなり、前記外壁材は、ロール巻き型で１つの支柱周りに縦軸状に取り付けられて繰り出しにより４つの立面を外周から覆うようにされる部分と、同立面を覆う部分の１辺上の異なる２箇所に折り畳みと転回が可能に延設され前記上連結材の上面に転回されて互いに結ばれるとともに前記４つの立面を覆う部分の上端とも結ばれるように構成された一対の天井面とを一体に備えてなる。
【０００６】
【実施形態】
以下、この発明を好適な実施形態を参照しながら詳細に説明する。
【０００７】
図１及び図２は、この発明の一実施形態を示す。
【０００８】
同実施形態において、１は旧来から構成されてきた室内（屋内）で、同室内１に、屋内用別室構成装置Ａが設置されている。
【０００９】
同装置Ａは、図２に骨格の構成を示すように、プラスチックや軽量金属等によるアングル材で平面矩形枠状に形成した底枠２を備える。この底枠２は、ベッドが設置される際のセット枠として機能させるようにすることもできる。３は通孔で、底枠２の周部に沿って配列されており、同通孔３の内側には、ナット４が接着等により固着されている。同ナット４には。蝶ボルト等の止着具５が外部からねじこまれる。底枠２の四辺のコーナーには、受筒６が固着されている。尚、底枠２は、帯板状のものや丸パイプ等であってもよい。
【００１０】
８はフレームである。同フレーム８は門形で、支柱９と上部材１０とを備える。これらフレーム８の１対を前記受筒６に差し込んで底枠２上に立設する。フレーム８と受筒６とは止着してもよい。また、仮想線のように、上部材１０はアーチ状に形成してもよい。
【００１１】
１１は外壁材で、この実施形態の場合は、樹脂シートが使用され、その断面構造として、シート（裏地に断熱材を備えてもよい）をエアー空間を残して（エアー空間なしにしてもよい）二重あるいあ三重に縫い合わせた（接着でもよい）ものにしてもよい。同外壁材１１は、発泡樹脂を使用してもよい。外壁材１１は、できるだけ折り畳み可能にしたり、各面分解組立可能に構成する。
【００１２】
外壁材１１には、フャスナー１２により開閉可能な出入り口を構成することのできる扉１３が設けられており、この外壁材１１は４つの立面１４と天井面１５とを備える。天井面１５には換気孔１６が明けられ、同換気孔１６は内部空間から直接抜けるものと、孔１６の室内側に１段あるいは２段の遮蔽シートがあって蛇行しながら換気ができるようにするものとがある。
【００１３】
尚、室内１には窓１７が既設されているが、同窓１７にはカーテンがなく、同カーテンの代わりとして外壁材１１が兼ねるようにしてある。従って、外壁材１１の外面には所望の絵柄や色彩を付すことができる。
【００１４】
また、装置Ａの内部空間には、ＴＶや冷蔵庫等の生活に必要な用品を内装したり、ベッドを内装したりしてもよい。
【００１５】
図３は他の実施形態を示し、特定の支柱９の外周に回転自在なロール１８を備え、同ロール１８に外壁材１１を巻き込んだり繰り出したりすることができるようになっている。繰り出すことで、支柱９…を経由するようにして外壁材１１を張り詰めることができる。外壁材１１の繰り出す先端はロール１８に止着してもよい。尚、天井面は別途構成する。
【００１６】
図４は他の実施形態を示し、一対の底連結材１９と各底連結材１９の両端から立設される支柱９とを有しこれら支柱９付き底連結材１９の一対が対向配置されて全体として４本の支柱９となすとともにこれら４本の支柱９の上端間を対角線方向に結ぶべく上連結材２０を備えてなるフレームを屋内用別室構成装置の骨組として備えている。
同骨組には底枠がない。底連結材１９の上面の軸にパイプ状の支柱９を差し込んでもよい。尚、同フレームは、図２の方式にしてもよい。
【００１７】
図４の屋内用別室構成装置には、前記フレーム以外に外壁材１１を備える。この外壁材１１は、前記フレームで形成される４つの立面と１つの天井面の５つの面にそれぞれ対応すべく被せられる１枚もので出入り可能でかつ換気可能であるとともに運搬・組立可能な密閉型のものである。前記外壁材１１は、ロール巻き型で１つの支柱９の周りに縦軸状に取り付けられて繰り出しにより前記４つの立面を外周から覆うようにされる部分と、同立面を覆う部分の１辺上の異なる２箇所に折り畳みと転回が可能に延設され前記上連結材２０の上面に転回されて互いに結ばれるとともに前記４つの立面を覆う部分の上端とも結ばれるように構成された一対の天井面とを一体に備えてなるものである。
【００１８】
図５は他の実施形態で、外壁材１１を十文字に形成し、その対応する辺にフャスナー１２…を備えておくことで矢印のようにフレーム上に被せるようにし、フャスナー１２…同志を接合することで１つの室を形成できるようになっている。
【００１９】
図６は他の実施形態で、一体型の屋内用別室構成装置Ａでその底枠部２２を両面テープ２３により床上に固着できるようにしたものである。
同装置Ａは、図１から図５の実施形態のものでもよい。
【００２０】
図７に示す実施形態は、ベッド２５の枠体を利用して支柱９を立設したものである。ベッド２５以外に冷蔵庫や机等の内装品を支柱９の支持役にしてもよい。
【００２１】
図８の実施形態は、側壁２７に収納空間２８を形成しておき、同空間２８からヒンジ２９を介してベッド３０が転回自在とされ、そのベッド３０とともに展開して１室を構成するように蛇腹式外壁材１１を構成したものである。尚、ベッド３０の底面には、同ベッド３０を収納した際に机３１になるストッパが設けられている。また、床面にベッド３０を設置した際には、仮想線のように、蛇腹で展開自在な外壁材１１を構成してもよい。
尚、前記実施形態とは異なるが、装置Ａ全体をエアーチューブ式にして、エアーの供給により膨らみ、エアーを抜くことで窄まって折り畳み可能になるように構成してもよい。
また、前記各実施形態において外壁材１１は不燃材で構成することができる。
【００２２】
【発明の効果】
この発明は以上のようであるので、特に旧来からの家屋のように隙間の多い家屋内に設置することで、熱量ロスを少なくして快適な冬期生活が可能になる装置を提供することができる。
【図面の簡単な説明】
【図１】この発明の一実施形態を示す斜視図。
【図２】同実施形態のフレーム構造を示す斜視図。
【図３】外壁材を巻き付け・繰り出し可能な方式にした実施形態を示す説明図。
【図４】天井面を巻き付け・繰り出し可能な一部面にした実施形態を示す斜視図。
【図５】フャスナーで外壁材を構成可能にした実施形態を示す斜視図。
【図６】両面テープで外壁材を固着可能にした実施形態を示す斜視図。
【図７】ベッドで支柱を立設可能にした実施形態を示す斜視図。
【図８】収納・展開自在なベッドに装置を構成した実施形態を示す側面図。
【符号の説明】
１…室内  ８…フレーム  ９…支柱  １１…外壁材  １６…換気孔。
【図１】
0003924665.tif 000002
【図２】
0003924665.tif 000003
【図３】
0003924665.tif 000004
【図４】
0003924665.tif 000005
【図５】
0003924665.tif 000006
【図６】
0003924665.tif 000007
【図７】
0003924665.tif 000008
【図８】
0003924665.tif 000009